(57)【要約】【課題】既製品で使用した部品を流用して新製品を設計する際に、部品データ構成配置の支援が容易に行える装置及び生成方法を提供する。【解決手段】三次元ＣＡＤ部品データ構成生成装置に備える演算処理装置３に、三次元ＣＡＤシステム４と部品データ構成編集手段７を有し、部品データ構成編集手段７には、記憶手段６の既製品の三次元ＣＡＤデータから流用する部品データの構成を編集指示して部品データ構成編集指示情報を取込み処理する部品データ構成編集指示部７Ａ、三次元ＣＡＤデータと部品データ構成編集指示情報から新製品の三次元部品データの構成情報を取込み処理するデータ構成情報抽出部７Ｂ、三次元ＣＡＤデータと三次元部品データの構成情報から新製品の三次元ＣＡＤ部品データの構成配置処理をする部品データ構成配置処理部７Ｃを設ける。【選択図】図１
2007133559.tif 000002
【特許請求の範囲】
【請求項１】
作業内容等を表示する表示手段と、部品データの構成を編集する作業時に作業内容の指示等を行う入力手段と、既製品の構成部品の３次元ＣＡＤデータを用いて新製品の３次元ＣＡＤデータの編集を行う演算処理装置と、作業用のデータメモリと、製品の三次元ＣＡＤデータを保管する記憶手段を備えた三次元ＣＡＤ部品データ構成生成装置において、前記演算処理装置は三次元ＣＡＤシステムと部品データ構成編集手段を有し、前記部品データ構成編集手段には、前記記憶手段の既製品の三次元ＣＡＤデータから流用する部品データの構成を編集指示して部品データ構成編集指示情報を取込み処理する部品データ構成編集指示部と、前記三次元ＣＡＤデータと前記部品データ構成編集指示情報から新製品の三次元部品データの構成情報を取込み処理するデータ構成情報抽出部と、前記三次元ＣＡＤデータと前記三次元部品データの構成情報から新製品の三次元ＣＡＤ部品データの構成配置処理をする部品データ構成配置処理部とを設けて構成したことを特徴とする三次元ＣＡＤ部品データ構成生成装置。
【請求項２】
既製品の三次元ＣＡＤデータの取込指示及び新設計の構成部品編集の入力指示に基づき、記憶手段から新製品設計で使用可能な既製品の三次元ＣＡＤデータの取込み処理を行うと共に、取込んだ既製品の中から新製品の基本組立構成を選択し、前記基本組立構成の構成部品を編集処理して部品データ構成編集指示情報を入手し、前記部品データ構成編集指示情報から新製品で使用する既製品の構成部品の製品組立構成情報リストを作成すると共に、各構成部品の三次元境界矩形形状値や配置方向と配置位置情報より、新製品を構成する部品の編集処理を行って三次元ＣＡＤ部品構成配置情報を入手し、前記三次元ＣＡＤ部品構成配置情報により新製品に必要な構成部品を指定配置位置に配置処理することを特徴とする三次元ＣＡＤ部品データ構成生成方法。
【発明の詳細な説明】
【技術分野】
【０００１】
本発明は、三次元ＣＡＤ部品データ構成生成装置及び生成方法に係り、特に製品設計を行う際に、設計済みの製品の構成部品を流用して新製品を構築する場合に好適な三次元ＣＡＤ部品データ構成生成装置及び生成方法に関する。
【背景技術】
【０００２】
通常、複数の部品からなる製品の三次元ＣＡＤ（Ｃｏｍｐｕｔｅｒ  Ａｉｄｅｄ  Ｄｅｓｉｇｎ）による製品設計においては、設計済みの製品を構成する部品の流用を行い、この部品を新製品に適用する場合がある。従来の三次元ＣＡＤによる既製品の部品の流用設計では、新製品に流用可能な部品を検索した後、三次元ＣＡＤ上で該当の部品を取込み、この部品の配置位置を確定する、所謂拘束して配置を行う作業が発生する。この様に、新製品の設計で既製品の部品を流用して配置する設計支援装置は、例えば特許文献１に記載されている。
【０００３】
特許文献１記載の設計支援装置は、標準部品の設計情報と属性値範囲と形状特徴データとをデータベースに記憶しておくと共に、過去の事例部品の設計情報と属性情報と形状特徴データとをデータベースに記憶しておき、設計対象部品に要求する属性値及び形状特徴データを入力し、これら各データを基に部品を検索するものである。
【０００４】
即ち、入力した各データに整合する属性値の範囲と形状特徴データの標準部品や、設計対象部品の属性値に類似する属性値の範囲を有して設計対象部品の形状特徴データに類似した形状特徴データの標準部品や、更には設計対象部品の属性値に類似する属性値と、設計対象部品の形状特徴データに類似した形状特徴データの事例部品を、検索して提示できるようにしている。
【０００５】
【特許文献１】特開平９−１７９８９２号公報
【発明の開示】
【発明が解決しようとする課題】
【０００６】
しかし、特許文献１の設計支援装置では、部品配置を行うための配置位置を確定する情報である拘束情報を含んだ標準部品を作成し、三次元ＣＡＤ上で拘束情報を利用した部品配置であり、標準部品として部品を予め登録する作業が必要となる。また、任意の位置への部品の配置を行うような配置部品では、拘束条件が多くなって操作が煩雑になり、設計者の負担になる恐れがある。
【０００７】
本発明の目的は、三次元ＣＡＤによる製品設計において、既設計製品で使用した部品を流用して新製品を設計する場合に、既製品の各部品を流用する新製品の部品データ構成配置の支援が容易に行える三次元ＣＡＤ部品データ構成生成装置及び生成方法を提供することにある。
【課題を解決するための手段】
【０００８】
本発明の三次元ＣＡＤ部品データ構成生成装置は、作業内容等を表示する表示手段と、部品データの構成を編集する作業時に作業内容の指示等を行う入力手段と、既製品の構成部品の３次元ＣＡＤデータを用いて新製品の３次元ＣＡＤデータの編集を行う演算処理装置と、作業用のデータメモリと、製品の三次元ＣＡＤデータを保管する記憶手段を備えたものであって、演算処理装置は三次元ＣＡＤシステムと部品データ構成編集手段を有し、前記部品データ構成編集手段には、記憶手段の既製品の三次元ＣＡＤデータから流用する部品データの構成を編集指示して部品データ構成編集指示情報を取込み処理する部品データ構成編集指示部と、前記三次元ＣＡＤデータ及び部品データ構成編集指示情報から新製品の三次元部品データの構成情報を出力するデータ構成情報抽出部と、前記三次元ＣＡＤデータ及び三次元部品データの構成情報から新製品の三次元ＣＡＤ部品データの構成配置処理をする部品データ構成配置処理部とを設けて構成ことを特徴としている。
【０００９】
また、本発明の三次元ＣＡＤ部品データ構成生成方法では、既製品の三次元ＣＡＤデータの取込指示及び新設計の構成部品編集の入力指示に基づき、記憶手段から新製品設計で使用可能な既製品の三次元ＣＡＤデータの取込み処理を行うと共に、取込んだ既製品の中から新製品の基本組立構成を選択し、前記基本組立構成の構成部品を編集処理して部品データ構成編集指示情報を入手し、前記部品データ構成編集指示情報から新製品で使用する既製品の構成部品の製品組立構成情報リストを作成すると共に、各構成部品の三次元境界矩形形状値や配置方向と配置位置情報より、新製品を構成する部品の編集処理を行って三次元ＣＡＤ部品構成配置情報を入手し、前記三次元ＣＡＤ部品構成配置情報により新製品に必要な構成部品を指定配置位置に配置処理することを特徴としている。
【発明の効果】
【００１０】
本発明の三次元ＣＡＤ部品データ構成生成装置は、既製品の構成部品を流用して新製品を設計する際に、既設計の三次元ＣＡＤ部品データを基に部品の流用、交換、追加の指示を行って、新製品の初期の三次元ＣＡＤ部品データ構成配置を容易に生成できため、新製品の設計支援が極めて容易にできる。しかも、既製品における部品構成の関係を保持して初期配置を行うので、部品構成配置の編集も容易に行うことができる。
【発明を実施するための最良の形態】
【００１１】
本発明の三次元ＣＡＤ部品データ構成生成装置は、作業内容等を表示する表示手段と、部品データの構成を編集する作業時に作業内容の指示等を行う入力手段と、既製品の構成部品の３次元ＣＡＤデータを用いて新製品の３次元ＣＡＤデータの編集を行う演算処理装置と、作業用のデータメモリと、製品の三次元ＣＡＤデータを保管する記憶手段を備え、演算処理装置に三次元ＣＡＤシステムと部品データ構成編集手段を有している。部品データ構成編集手段には、部品データ構成編集指示部と部品データ構成情報抽出部と、部品データ構成配置処理部を設けている。
【実施例１】
【００１２】
以下、本発明の一実施例を、図１に示す三次元ＣＡＤ部品データ構成生成装置を用いて説明する。本発明の装置は、設計済みの既製品の構成部品を流用し、新製品設計用の構成部品の配置を、例えば配置位置に近い部品から順に実施する、所謂初期配置を行う際に使用する。三次元ＣＡＤ部品データ構成生成装置は、演算処理装置３に三次元ＣＡＤシステム４と、本発明による三次元ＣＡＤの部品データ構成編集手段７とを組込んでいる。
【００１３】
また、演算処理装置３には、既設計済み製品の三次元ＣＡＤ構成部品データや新製品の設計で編集した結果を保持する三次元ＣＡＤデータ保管用の記憶手段６と、前記既製品の三次元ＣＡＤ構成部品データと新製品の設計で編集した結果を表示する表示手段１と、前記既製品の三次元ＣＡＤ構成部品データと新製品の設計での構成部品の入力指示を行うキーボードやマウス等の入力手段２と、三次元ＣＡＤ部品データ構成編集手段７の処理で使用する作業用のデータメモリ５とを接続している。この例では、データメモリ５や記憶手段６を、演算処理装置３外に設けて接続しているが、これらは演算処理装置３内に配置して使用することもできる。
【００１４】
しかも、部品データ構成編集手段７は、それぞれ図３から図７を使用して後述する処理動作を行う部品データ構成編集指示部７Ａと、三次元の部品データ構成情報抽出部７Ｂと、三次元ＣＡＤの部品データ構成配置処理部７Ｃとで構成している。
【００１５】
部品データ構成編集指示部７Ａは、既製品の設計済みの三次元ＣＡＤデータを、保管する記憶手段６より取込み、流用する部品データの構成を編集指示し、部品データ構成編集指示情報をデータメモリ５に出力するために用いられる。また、部品データ構成情報抽出部７Ｂは、前記既製品の三次元ＣＡＤデータと前記部品データ構成編集指示情報を、三次元ＣＡＤデータ保管用の記憶手段６とデータメモリ５からそれぞれ取込んで、三次元部品データ構成情報をデータメモリ５に出力するために用いられる。更に、部品データ構成配置処理部７Ｃは、前記製品設計済みの三次元ＣＡＤデータと前記三次元部品データ構成情報を、記憶手段６とデータメモリ５よりそれぞれ取込み、三次元ＣＡＤ部品データを構成配置処理するために用いられる。
【００１６】
本発明の三次元ＣＡＤ部品データ構成生成装置で、既製品の構成部品を流用して新製品設計用の構成部品を編集し、三次元ＣＡＤ上で構成部品の初期配置を行う際のデータフローを、図２により説明する。
【００１７】
入力手段２からの初期配置対象の部品構成編集指示により、部品データ構成編集指示部７Ａで既製品の設計で作成した三次元ＣＡＤデータの取込指示及び新設計の構成部品編集の入力指示が実施される。これにより、部品データ構成編集指示部７Ａでは、記憶手段６から既製作製品の三次元ＣＡＤデータを取込み、部品データ構成編集指示情報をデータメモリ５に出力する。
【００１８】
次に、三次元部品データ構成情報抽出部７Ｂにおいて、データメモリ５の部品データ構成編集指示情報から、記憶手段６中の既製作製品の三次元ＣＡＤデータにおける三次元モデルを、三次元ＣＡＤシステム４に取込み、三次元部品データ構成情報をデータメモリ５に出力する。最後に、部品データ構成配置処理部７Ｃにおいて、データメモリ５の三次元部品データ構成情報の情報指示により、記憶手段６から既製作製品の三次元ＣＡＤデータを、三次元ＣＡＤシステム４に取込み、編集後の三次元ＣＡＤデータを記憶手段６に出力保存する。
【００１９】
本発明による部品データ構成編集手段７の部品データ構成編集指示部７Ａで行う処理の手順は、図３に示すように、まず記憶手段６から新製品設計で使用可能な設計済みの全既製品での三次元ＣＡＤデータの取込指示をする（ステップＳ１１）。次に、ステップＳ１１で取り込んだ三次元ＣＡＤデータのうち、新製品の基本組立構成となり得る既製品の構成を選択する（ステップＳ１２）。
【００２０】
図８（ａ）及び（ｂ）には、記憶手段６から流用するために取込んだ既設計の２つの製品Ａ１、Ａ２の三次元ＣＡＤの製品組立構成の例を示している。これらの中から、製品Ａ１を基本製品組立構成として選択し、製品Ａ１、Ａ２の各部品Ｐ１からＰ４及びＰ５からＰ９の流用を適宜行うものである。
記憶手段６から流用するために取込む既設計製品の三次元ＣＡＤデータは、全既製品のものを取込んでも良いが、製作効率の向上を図るため、基本形の類似の度合いや、流用可能な部品数や、部品の配置位置の類似等を考慮して決定し、既製品の取込みを実施する。この基本組立構成を選択することで、データメモリ５に部品データ構成編集指示情報が作成開始される。
【００２１】
次からは、新製品の構成部品に編集する処理の手順であり、編集処理終了の判断が行われ（ステップＳ１３）、Ｎｏの場合には、入力手段２からの指示に基づき、部品構成編集の種類選択を行い（ステップＳ１４）、編集処理の各ステップＳ１５、Ｓ１６、Ｓ１７で部品の置換、部品の追加、部品の削除判断を実施し、Ｙｅｓの場合には、指示にしたがい部品の置換処理（ステップＳ１５Ａ）、部品の追加処理（ステップＳ１６Ａ）、部品の削除処理（ステップＳ１７Ａ）の編集指示をそれぞれ実施する。ステップＳ１３で、編集処理終了でＹｅｓの場合には、入力手段２からの指示により、部品データ構成編集指示部７Ａでの編集処理は終了する。
【００２２】
上記の部品の置換処理（ステップＳ１５Ａ）では、置換対象となる既製品Ａ１の構成部品Ｐ１、Ｐ２を選択した後、既製品Ａ２の部品構成から置換えに用いる構成部品Ｐ５、Ｐ８を選択し、データメモリ５に構成部品の置換指示情報を蓄積する。また、部品の追加処理（ステップＳ１６Ａ）では、新部品や既製品Ａ２の基本組立構成から追加に用いる構成部品Ｐ６を選択し、データメモリ５に構成部品の追加指示情報を蓄積する。
【００２３】
更に、部品の削除処理（ステップＳ１７Ａ）は、既製品Ａ１の基本組立構成から削除する構成部品Ｐ４を選択し、データメモリ５に構成部品の削除指示情報を蓄積する。新製品の編集作製にあたっては、選択した基本組立構成Ａ１の任意の位置を基準座標として定め、選択した既製品Ａ１、Ａ２の各部品の座標や位置情報、更には寸法等を、部品の置換や部品の追加等の再配置処理に活用する。
【００２４】
図９には、上記の編集処理で、製品Ａ１の構成を基本組立構成として選択した後、この構成部品Ｐ１、Ｐ２をそれぞれ既製品Ａ２の構成部品Ｐ５、Ｐ８に置換え、また構成部品Ｐ４を削除、更に既製品Ａ２の構成部品Ｐ６を追加した結果を、表示手段１に表示した例を示している。また、これらの情報は、部品データ構成編集指示情報としてデータメモリ５に、図１０の如く基本組立構成及び置換、削除、追加の各編集処理内容が保存され、表示手段１の画面に出力表示して確認できる。
【００２５】
次の部品データ構成情報抽出部７Ｂで行う構成情報抽出の処理の手順は、図４に示すように、部品データ構成編集指示部７Ａでデータメモリ５に出力した部品データ情報編集指示情報の取込みを実施する（ステップＳ２１）。続いて、ステップＳ２１で取込んだ部品データ情報編集指示情報より、新製品の設計で使用する既製品の構成部品のアセンブリ（製品組立構成情報）リストを作成する（ステップＳ２２）。ここで、図１０の部品データ構成編集指示情報を取込んだ場合は、アセンブリリストは選択した既製品Ａ１、Ａ２となる。
【００２６】
次に、前記アセンブリリストを使用したアセンブリリストのループ処理となる（ステップＳ２３）。このステップＳ２３では、まずアセンブリ情報にしたがい、三次元ＣＡＤシステム４に製品組立構成情報を取込む製品組立構成情報データ入力指示（ステップＳ２４）を実施する。続いて、前記三次元ＣＡＤシステム４に取込んだアセンブリリストのデータより、構成部品情報を取得する（ステップＳ２５）。ここで、既製品Ａ１のアセンブリリストでは、既製品Ａ１に対して部品Ｐ１、Ｐ２、Ｐ３、Ｐ４が構成部品情報となる。
【００２７】
続いて、前記の構成部品情報のループ処理を実施する（ステップＳ２６）。このステップＳ２６では、構成部品の三次元境界矩形形状値（Ｂｏｕｎｄａｒｙ  Ｂｏｘ以下「Ｂ−Ｂｏｘ」と略称する。）を三次元ＣＡＤシステム４より取得し（ステップＳ２７）、更に構成部品の配置方向と配置位置情報を同じく三次元ＣＡＤシステム４より取得する（ステップＳ２８）。
【００２８】
ステップＳ２３のアセンブリリストのループにおいて、データメモリ５には、図１１に示す如くアセンブリの構成部品情報、即ち既製品の組立構成、構成部品、部品配置のベクトル成分である配置方向、配置座標、参照親部品等が必要に応じて抽出保存され、表示手段１の画面に出力表示して確認することができる。
【００２９】
次に、入力手段２からの基本組立構成情報の取込み指示に基づいて、前記三次元部品データ構成配置情報を、データメモリ５に出力する（ステップＳ２９）。続いて、ステップＳ２１で保持している部品データ構成のループ処理を実施する（ステップＳ３０）。このステップＳ３０では、入力手段４からの各構成部品の編集指示にしたがい、各ステップＳ３１、Ｓ３２、Ｓ３３で部品の置換、部品の追加、部品の削除の判断を実施し、Ｙｅｓの場合には、入力手段２からの構成部品の編集指指示にしたがい、部品の置換処理（ステップＳ３１Ａ）、部品の追加処理（ステップＳ３２Ａ）、部品の削除処理（ステップＳ３３Ａ）を順に実施し、全て処理が終われば終了する。
【００３０】
構成部品の置換処理（ステップＳ３１）の詳細な処理手順を、図５に示しており、まず置換対象となる置換前の部品に対して、置換前の状態での親部品との方向や位置情報の取得のために、データメモリ５のコンポーネント情報を使用して計算する（ステップＳ３１Ａ１）。
【００３１】
次に、置換する部品を置換前の部品方向に配置する場合の新たな親部品からの位置は、Ｂ−Ｂｏｘを使用して配置差分を計算する（ステップＳ３１Ａ２）。この時、配置差分の計算に関しては、親となる部品と構成部品をそれぞれＢ−Ｂｏｘで見た場合に、親となる部品から見た領域での評価を行って、構成部品の配置位置を決定する。
【００３２】
例えば、構成部品Ｐ２と構成部品Ｐ８の置換えにおいては、既製品Ａ１の親となる構成部品Ｐ１と構成部品Ｐ２の位置関係は、構成部品Ｐ１のＸ方向の外側、Ｙ方向はＢ−Ｂｏｘの領域内、Ｚ方向はＢ−Ｂｏｘの領域内であり、配置方向はＸ方向を向いているとすると、置換えをする構成部品Ｐ８は、新たに作製する製品Ａ３の親となる構成部品Ｐ５に対して、構成部品Ｐ２の位置関係と方向を使用して配置位置を決定する。
【００３３】
続いて、置換え前の部品の削除指示では、三次元部品データ構成配置情報をデータメモリ５に出力する（ステップＳ３１Ａ３）。更に、置換えを行う部品の追加指示では、前記三次元部品データ構成配置情報をデータメモリ５に出力する（ステップＳ３１Ａ４）。
【００３４】
また、構成部品の追加処理（ステップＳ３２Ａ）の詳細な処理手順を、図６に示しており、始めには追加する部品が構成していた前の構成から、親となる部品との方向と位置情報を、データメモリ５のコンポーネント情報より取得する（ステップＳ３２Ａ１）。
【００３５】
次に、配置方向は前配置の方向情報を使用し、配置位置に関しては、部品配置する親部品の領域、即ちＢ−Ｂｏｘをデータメモリ５のコンポーネント情報より取得し、前配置位置と同領域に配置するための計算を実施する（ステップＳ３２Ａ２）。次に、追加する部品の追加指示を、データメモリ５に前記三次元部品データ構成配置情報として表示手段１の画面に出力表示する（ステップＳ３２Ａ３）。
【００３６】
更にまた、構成部品の編集指示が部品の削除の場合は、判定処理（ステップＳ３３）により部品の削除処理（ステップＳ３３Ａ）に移行する。部品の削除処理（ステップＳ３３Ａ）では、指示された削除部品の削除指示を、データメモリ５の前記三次元部品データ構成配置情報として表示手段１の画面に出力表示する。
【００３７】
上記した三次元部品データ構成情報抽出部７Ｂの処理ステップで、表示手段1に出力した前記三次元部品データ構成配置情報の例を図１２に示している。ここでは、図９及び図１０で示した部品Ｐ１やＰ２の置換は、該当部品Ｐ１やＰ２の削除と、方向値と移動値を定めた部品Ｐ５やＰ８の追加の２行で表され、また部品Ｐ６の追加は、方向値と移動値を定めた形で表される。
【００３８】
最後の三次元ＣＡＤ部品データ構成配置処理部７Ｃで行う処理手順を、図７に示しており、まず部品データ構成情報抽出部７Ｂの処理ステップＳで、データメモリ５に出力した三次元部品データ構成配置情報の取込みを実施する（ステップＳ４１）。次に、ステップＳ４１で取込んだ三次元部品データ構成配置情報の部品データ配置情報のループ処理を実施する（ステップＳ４２）。このステップＳ４２では、部品データ配置情報が読込みの場合は、処理判定のステップＳ４３後に部品の読込み指示を実施する（ステップＳ４３Ａ）。このステップＳ４３Ａでは、指定部品或いはアセンブリを、三次元ＣＡＤシステム４に取込み指示を実施する。
【００３９】
部品データ配置情報が部品の削除の場合は、判定処理のステップＳ４５後に部品の削除の指示処理を実施する（ステップＳ４４Ａ）。このステップＳ４４Ａでは、指定部品を三次元ＣＡＤシステム４に、部品削除の指示処理を実施する。最後に、部品データ配置情報が追加の場合は、判定処理（ステップＳ４５）後に部品追加処理に移行する。部品追加処理では、始めに指定部品を三次元ＣＡＤシステム４に取込み指示し（ステップＳ４５Ａ）、取込んだ構成部品を次のステップＳ４５Ｂで、三次元ＣＡＤシステム４に指定した配置位置への部品の配置移動指示を実施する。
【００４０】
図８（ａ）、（ｂ）の既製品Ａ１及びＡ２の各構成部品Ｐ１からＰ４及びＰ５からＰ９を選択使用し、編集処理を行い、新製品に必要な構成部品を指定配置位置に配置処理した結果、図１３に示す新製品Ａ３が作製できる。
【００４１】
上記した説明の部品データ構成編集手段７の処理手順は、この全体の処理手順を一括プログラム化しての使用、或いは個々の構成部分である部品データ構成編集指示部７Ａ、部品データ構成情報抽出部部７Ｂ、部品データ構成配置処理７Ｃの処理手順毎にプログラム化しての使用で実施することができる。
【図面の簡単な説明】
【００４２】
【図１】本発明の一実施例である三次元ＣＡＤ部品データ構成生成装置を示すブロック図である。
【図２】本発明で用いた三次元ＣＡＤ部品データ構成生成装置におけるデータフロー図である。
【図３】部品データ構成編集指示を行う処理手順を示すフローチャートである。
【図４】三次元部品データ構成情報抽出を行う処理手順を示すフローチャートである。
【図５】三次元部品データ置換処理を行う処理手順を示すフローチャートである。
【図６】三次元部品データ追加処理を行う処理手順を示すフローチャートである。
【図７】三次元ＣＡＤ部品データ構成配置処理を行う処理手順のフローチャートである。
【図８】三次元ＣＡＤの既製品組立構成例を示す斜視図である。
【図９】本部品データ構成編集指示部の表示例を示す図である。
【図１０】部品データ構成編集指示情報５Ａの出力例を示す図である。
【図１１】アセンブリの構成部品情報の抽出例を示す図である。
【図１２】三次元部品データ構成情報５ｂの出力例を示す図である。
【図１３】本装置で作成した三次元ＣＡＤ部品構成データ編集結果の新製品の例を示す斜視図である。
【符号の説明】
【００４３】
１…表示手段−２…入力手段、３…演算処理装置、４…三次元ＣＡＤシステム、５…データメモリ、６…記憶手段、７…部品データ構成編集手段、７Ａ…部品データ構成編集指示部、７Ｂ…部品データ構成情報抽出部、７Ｃ…部品データ構成配置処理部。
【図１】
2007133559.tif 000003
【図２】
2007133559.tif 000004
【図３】
2007133559.tif 000005
【図４】
2007133559.tif 000006
【図５】
2007133559.tif 000007
【図６】
2007133559.tif 000008
【図７】
2007133559.tif 000009
【図８】
2007133559.tif 000010
【図９】
2007133559.tif 000011
【図１０】
2007133559.tif 000012
【図１１】
2007133559.tif 000013
【図１２】
2007133559.tif 000014
【図１３】
2007133559.tif 000015